(57)【要約】【課題】  製造効率を高めるとともに、半導体素子と導通接続部材とをより確実に接合することが可能な半導体装置を提供すること。【解決手段】  機能回路が形成された機能面および該機能面とは反対側を向く裏面を有する半導体素子と、前記半導体素子を支持し、且つ前記半導体素子に導通する導通支持部材と、前記半導体素子に接合された放熱部材と、前記半導体素子と前記導通支持部材および前記放熱部材の少なくとも一部ずつとを覆う樹脂パッケージと、を備える半導体装置であって、前記半導体素子は、前記裏面に形成された裏面金属層を有しており、前記半導体素子の前記裏面金属層と前記放熱部材とは、固相接合によって接合されている。【選択図】図３０
2020129700.tif 000002
【特許請求の範囲】
【請求項１】
機能回路が形成された機能面および該機能面とは反対側を向く裏面を有する半導体素子と、
前記半導体素子を支持し、且つ前記半導体素子に導通する導通支持部材と、
前記半導体素子に接合された放熱部材と、
前記半導体素子と前記導通支持部材および前記放熱部材の少なくとも一部ずつとを覆う樹脂パッケージと、
を備える半導体装置であって、
前記半導体素子は、前記裏面に形成された裏面金属層を有しており、
前記半導体素子の前記裏面金属層と前記放熱部材とは、固相接合によって接合されていることを特徴とする、半導体装置。
【請求項２】
前記裏面金属層には、接合促進層が積層されている、請求項１に記載の半導体装置。
【請求項３】
前記裏面金属層の前記接合促進層は、ＮｉおよびＰｄの少なくともいずれかを含む、請求項２に記載の半導体装置。
【請求項４】
前記放熱部材には、接合促進層が積層されている、請求項１ないし３のいずれかに記載の半導体装置。
【請求項５】
前記放熱部材の前記接合促進層は、ＮｉおよびＰｄの少なくともいずれかを含む、請求項４に記載の半導体装置。
【請求項６】
前記放熱部材のうち前記裏面金属層に接合された部位と反対側の面は、凹凸状とされている、請求項１ないし５のいずれかに記載の半導体装置。
【請求項７】
前記半導体素子は、前記機能面に形成された機能面側電極を有している、請求項１ないし６のいずれかに記載の半導体装置。
【請求項８】
前記機能面側電極は、前記機能面が向く方向に突出する機能面側凸部を具備しており、
前記機能面側電極の前記機能面側凸部と前記導通支持部材とは、固相接合によって接合されている、請求項７に記載の半導体装置。
【請求項９】
前記導通支持部材は、前記機能面側電極に向かって突出する導通支持部材側凸部を有しており、
前記機能面側電極と前記導通支持部材の前記導通支持部材側凸部とは、固相接合によって接合されている、請求項７に記載の半導体装置。
【請求項１０】
前記機能面側電極は、前記機能面に接する基材層を有する、請求項７ないし９のいずれかに記載の半導体装置。
【請求項１１】
前記基材層は、Ａｌからなる、請求項１０に記載の半導体装置。
【請求項１２】
前記機能面側電極は、前記基材層上に積層された下地層を有する、請求項１０または１１に記載の半導体装置。
【請求項１３】
前記下地層は、Ｔｉ、ＷおよびＴａのいずれかからなる、請求項１２に記載の半導体装置。
【請求項１４】
前記機能面側電極は、前記下地層上に積層された再配線層を有する、請求項１２または１３に記載の半導体装置。
【請求項１５】
前記再配線層は、Ｃｕからなる、請求項１４に記載の半導体装置。
【請求項１６】
前記再配線層は、平面視において前記基材層よりも大である、請求項１４または１５に記載の半導体装置。
【請求項１７】
前記機能面側電極は、最表層に位置する接合促進層を有する、請求項１４ないし１６のいずれかに記載の半導体装置。
【請求項１８】
前記機能面側電極の前記接合促進層は、ＮｉおよびＰｄの少なくともいずれかを含む、請求項１７に記載の半導体装置。
【請求項１９】
前記機能面を覆い、かつ前記機能面側電極を前記機能面に到達させる貫通孔が形成されたパッシベーション膜を備える、請求項１４ないし１８のいずれかに記載の半導体装置。
【請求項２０】
前記パッシベーション膜は、ＳｉＮからなる、請求項１９に記載の半導体装置。
【請求項２１】
前記再配線層は、平面視において前記パッシベーション膜と重なる、請求項１９または２０に記載の半導体装置。
【請求項２２】
前記パッシベーション膜上に積層された保護膜を備える、請求項１９ないし２１のいずれかに記載の半導体装置。
【請求項２３】
前記保護膜は、ポリイミドからなる、請求項２２に記載の半導体装置。
【請求項２４】
前記再配線層は、平面視において前記保護膜と重なる、請求項２２または２３に記載の半導体装置。
【請求項２５】
前記導通支持部材は、金属からなるリードである、請求項１ないし２４のいずれかに記載の半導体装置。
【請求項２６】
前記導通支持部材は、金属からなるリードであり、
前記リードのうち前記機能面側電極に接合された部位と反対側の面は、凹凸状とされている、請求項７ないし２４のいずれかに記載の半導体装置。
【請求項２７】
前記リードの一部が、前記樹脂パッケージから突出している、請求項２５または２６に記載の半導体装置。
【発明の詳細な説明】
【技術分野】
【０００１】
本発明は、半導体装置に関する。
【背景技術】
【０００２】
半導体素子が内蔵された半導体装置においては、前記半導体素子への導通経路を構成し、かつ前記半導体素子を支持する導通支持部材が用いられる。特許文献１には、従来の半導体装置の一例が開示されている。この半導体装置においては、前記導通支持部材として金属からなるリードが用いられている。前記半導体素子と前記リードとを導通させる手段としては、Ａｕなどからなる複数のワイヤが用いられている。
【０００３】
前記半導体装置の製造工程においては、前記複数のワイヤをボンディングする工程を実行する。このボンディング工程は、前記複数のワイヤについて順次行われ、前記複数のワイヤに対して一括して実行できない。このため、前記半導体装置の製造効率向上が阻害される。また、前記ワイヤは、比較的細いため、前記半導体装置の製造工程や前記半導体装置の使用時において、意図せず切断したり剥離したりするおそれがある。また、アイランド等と称される放熱部材に前記半導体素子を接合する場合、接合材を介して前記半導体素子と前記放熱部材とが接合される。この接合の効率向上や、接合の確実化が望まれる。
【先行技術文献】
【特許文献】
【０００４】
【特許文献１】特開２０１４−７３６３号公報
【発明の概要】
【発明が解決しようとする課題】
【０００５】
本発明は、上記した事情のもとで考え出されたものであって、製造効率を高めるとともに、前記半導体素子と前記導通接続部材とをより確実に接合することが可能な半導体装置を提供することをその課題とする。また、本発明は、製造効率を高めるとともに、前記半導体素子と前記放熱部材とをより確実に接合することが可能な半導体装置を提供することをその課題とする。
【課題を解決するための手段】
【０００６】
本発明の第１の側面によって提供される半導体装置は、機能回路が形成された機能面および該機能面とは反対側を向く裏面を有する半導体素子と、前記半導体素子を支持し、且つ前記半導体素子に導通する導通支持部材と、前記半導体素子と前記導通支持部材の少なくとも一部とを覆う樹脂パッケージと、を備える半導体装置であって、前記半導体素子は、前記機能面に形成され、且つ前記機能面が向く方向に突出する機能面側凸部を具備する機能面側電極を有しており、前記機能面側電極の前記機能面側凸部と前記導通支持部材とは、固相接合によって接合されていることを特徴としている。
【０００７】
本発明の好ましい実施の形態においては、前記機能面側電極は、前記機能面に接する基材層を有する。
【０００８】
本発明の好ましい実施の形態においては、前記基材層は、Ａｌからなる。
【０００９】
本発明の好ましい実施の形態においては、前記機能面側凸部と前記基材層とは、平面視において互いに重ならない。
【００１０】
本発明の好ましい実施の形態においては、前記機能面側電極は、前記基材層上に積層された下地層を有する。
【００１１】
本発明の好ましい実施の形態においては、前記下地層は、Ｔｉ、ＷおよびＴａのいずれかからなる。
【００１２】
本発明の好ましい実施の形態においては、前記機能面側電極は、前記下地層上に積層された再配線層を有し、前記機能面側凸部は、前記再配線層上に形成されている。
【００１３】
本発明の好ましい実施の形態においては、前記再配線層は、Ｃｕからなる。
【００１４】
本発明の好ましい実施の形態においては、前記再配線層は、平面視において前記基材層よりも大である。
【００１５】
本発明の好ましい実施の形態においては、前記機能面側電極は、最表層に位置する接合促進層を有する。
【００１６】
本発明の好ましい実施の形態においては、前記機能面側電極の前記接合促進層は、ＮｉよびＰｄの少なくともいずれかを含む。
【００１７】
本発明の好ましい実施の形態においては、前記機能面側電極の前記接合促進層は、前記機能面側凸部に積層されたＮｉ層と、このＮｉ層上に積層されたＰｄ層を有する。
【００１８】
本発明の好ましい実施の形態においては、前記機能面を覆い、かつ前記機能面側電極を前記機能面に到達させる貫通孔が形成されたパッシベーション膜を備える。
【００１９】
本発明の好ましい実施の形態においては、前記パッシベーション膜は、ＳｉＮからなる。
【００２０】
本発明の好ましい実施の形態においては、前記再配線層は、平面視において前記パッシベーション膜と重なる。
【００２１】
本発明の好ましい実施の形態においては、前記機能面側凸部は、平面視において前記パッシベーション膜と重なる。
【００２２】
本発明の好ましい実施の形態においては、前記パッシベーション膜上に積層された保護膜を備える。
【００２３】
本発明の好ましい実施の形態においては、前記保護膜は、ポリイミドからなる。
【００２４】
本発明の好ましい実施の形態においては、前記再配線層は、平面視において前記保護膜と重なる。
【００２５】
本発明の好ましい実施の形態においては、前記機能面側凸部は、平面視において前記保護膜と重なる。
【００２６】
本発明の好ましい実施の形態においては、前記機能面側凸部は、Ｃｕからなる。
【００２７】
本発明の好ましい実施の形態においては、前記導通支持部材は、金属からなるリードである。
【００２８】
本発明の好ましい実施の形態においては、前記リードの一部が、前記樹脂パッケージから突出している。
【００２９】
本発明の好ましい実施の形態においては、前記リードのうち前記機能面側電極に接合された部位と反対側の面は、凹凸状とされている。
【００３０】
本発明の好ましい実施の形態においては、前記半導体素子は、複数の前記機能面側電極を有する。
【００３１】
本発明の好ましい実施の形態においては、前記機能面側電極は、複数の前記機能面側凸部を有する。
【００３２】
本発明の好ましい実施の形態においては、前記半導体素子に接合された放熱部材をさらに備えており、前記半導体素子は、前記裏面に形成された裏面金属層を有しており、前記半導体素子の前記裏面金属層と前記放熱部材とは、固相接合によって接合されている。
【００３３】
本発明の好ましい実施の形態においては、前記裏面金属層には、接合促進層が積層されている。
【００３４】
本発明の好ましい実施の形態においては、前記裏面金属層の前記接合促進層は、ＮｉおよびＰｄの少なくともいずれかを含む。
【００３５】
本発明の好ましい実施の形態においては、前記放熱部材には、接合促進層が積層されている。
【００３６】
本発明の好ましい実施の形態においては、前記放熱部材の前記接合促進層は、ＮｉおよびＰｄの少なくともいずれかを含む。
【００３７】
本発明の好ましい実施の形態においては、前記放熱部材のうち前記裏面金属層に接合された部位と反対側の面は、凹凸状とされている。
【００３８】
本発明の好ましい実施の形態においては、前記放熱部材のうち前記裏面金属層に接合された部位と反対側の面は、前記樹脂パッケージから露出している。
【００３９】
本発明の第２の側面によって提供される半導体装置は、機能回路が形成された機能面および該機能面とは反対側を向く裏面を有する半導体素子と、前記半導体素子を支持し、且つ前記半導体素子に導通する導通支持部材と、前記半導体素子と前記導通支持部材の少なくとも一部とを覆う樹脂パッケージと、を備える半導体装置であって、前記半導体素子は、前記機能面に形成された機能面側電極を有しており、前記導通支持部材は、前記機能面側電極に向かって突出する導通支持部材側凸部を有しており、前記機能面側電極と前記導通支持部材の前記導通支持部材側凸部とは、固相接合によって接合されていることを特徴としている。
【００４０】
本発明の好ましい実施の形態においては、前記機能面側電極は、前記機能面に接する基材層を有する。
【００４１】
本発明の好ましい実施の形態においては、前記基材層は、Ａｌからなる。
【００４２】
本発明の好ましい実施の形態においては、前記導通支持部材側凸部と前記基材層とは、平面視において互いに重ならない。
【００４３】
本発明の好ましい実施の形態においては、前記機能面側電極は、前記基材層上に積層された下地層を有する。
【００４４】
本発明の好ましい実施の形態においては、前記下地層は、Ｔｉ、ＷおよびＴａのいずれかからなる。
【００４５】
本発明の好ましい実施の形態においては、前記機能面側電極は、前記下地層上に積層された再配線層を有する。
【００４６】
本発明の好ましい実施の形態においては、前記再配線層は、Ｃｕからなる。
【００４７】
本発明の好ましい実施の形態においては、前記再配線層は、平面視において前記基材層よりも大である。
【００４８】
本発明の好ましい実施の形態においては、前記機能面側電極は、最表層に位置する接合促進層を有する。
【００４９】
本発明の好ましい実施の形態においては、前記機能面側電極の前記接合促進層は、ＮｉおよびＰｄの少なくともいずれかを含む。
【００５０】
本発明の好ましい実施の形態においては、前記機能面側電極の前記接合促進層は、前記機能面側に位置するＮｉ層と、このＮｉ層上に積層されたＰｄ層を有する。
【００５１】
本発明の好ましい実施の形態においては、前記機能面を覆い、かつ前記前記機能面側電極を前記機能面に到達させる貫通孔が形成されたパッシベーション膜を備える。
【００５２】
本発明の好ましい実施の形態においては、前記パッシベーション膜は、ＳｉＮからなる。
【００５３】
本発明の好ましい実施の形態においては、前記再配線層は、平面視において前記パッシベーション膜と重なる。
【００５４】
本発明の好ましい実施の形態においては、前記導通支持部材側凸部は、平面視において前記パッシベーション膜と重なる。
【００５５】
本発明の好ましい実施の形態においては、前記パッシベーション膜上に積層された保護膜を備える。
【００５６】
本発明の好ましい実施の形態においては、前記保護膜は、ポリイミドからなる。
【００５７】
本発明の好ましい実施の形態においては、前記再配線層は、平面視において前記保護膜と重なる。
【００５８】
本発明の好ましい実施の形態においては、前記導通支持部材側凸部は、平面視において前記保護膜と重なる。
【００５９】
本発明の好ましい実施の形態においては、前記導通支持部材は、金属からなるリードである。
【００６０】
本発明の好ましい実施の形態においては、前記リードの一部が、前記樹脂パッケージから突出している。
【００６１】
本発明の好ましい実施の形態においては、前記リードのうち前記機能面側電極に接合された部位と反対側の面は、凹凸状とされている。
【００６２】
本発明の好ましい実施の形態においては、前記導通支持部材側凸部は、周囲部分よりも厚さが厚い部分によって構成されている。
【００６３】
本発明の好ましい実施の形態においては、前記導通支持部材側凸部は、貫通孔を有する。
【００６４】
本発明の好ましい実施の形態においては、前記導通支持部材側凸部は、前記導通支持部材の一部が折り曲げられて形成されている。
【００６５】
本発明の好ましい実施の形態においては、前記半導体素子は、複数の前記機能面側電極を有する。
【００６６】
本発明の好ましい実施の形態においては、前記機能面側電極は、複数の前記導通支持部材側凸部に接合されている。
【００６７】
本発明の好ましい実施の形態においては、前記半導体素子に接合された放熱部材をさらに備えており、前記半導体素子は、前記裏面に形成された裏面金属層を有しており、前記半導体素子の前記裏面金属層と前記放熱部材とは、固相接合によって接合されている。
【００６８】
本発明の好ましい実施の形態においては、前記裏面金属層には、接合促進層が積層されている。
【００６９】
本発明の好ましい実施の形態においては、前記裏面金属層の前記接合促進層は、ＮｉおよびＰｄの少なくともいずれかを含む。
【００７０】
本発明の好ましい実施の形態においては、前記放熱部材には、接合促進層が積層されている。
【００７１】
本発明の好ましい実施の形態においては、前記放熱部材の前記接合促進層は、ＮｉおよびＰｄの少なくともいずれかを含む。
【００７２】
本発明の好ましい実施の形態においては、前記放熱部材のうち前記裏面金属層に接合された部位と反対側の面は、凹凸状とされている。
【００７３】
本発明の好ましい実施の形態においては、前記放熱部材のうち前記裏面金属層に接合された部位と反対側の面は、前記樹脂パッケージから露出している。
【００７４】
本発明の第３の側面によって提供される半導体装置は、機能回路が形成された機能面および該機能面とは反対側を向く裏面を有する半導体素子と、前記半導体素子を支持し、且つ前記半導体素子に導通する導通支持部材と、前記半導体素子に接合された放熱部材と、前記半導体素子と前記導通支持部材および前記放熱部材の少なくとも一部ずつとを覆う樹脂パッケージと、を備える半導体装置であって、前記半導体素子は、前記裏面に形成された裏面金属層を有しており、前記半導体素子の前記裏面金属層と前記放熱部材とは、固相接合によって接合されていることを特徴としている。
【００７５】
本発明の好ましい実施の形態においては、前記裏面金属層には、接合促進層が積層されている。
【００７６】
本発明の好ましい実施の形態においては、前記裏面金属層の前記接合促進層は、ＮｉおよびＰｄの少なくともいずれかを含む。
【００７７】
本発明の好ましい実施の形態においては、前記放熱部材には、接合促進層が積層されている。
【００７８】
本発明の好ましい実施の形態においては、前記放熱部材の前記接合促進層は、ＮｉおよびＰｄの少なくともいずれかを含む。
【００７９】
本発明の好ましい実施の形態においては、前記放熱部材のうち前記裏面金属層に接合された部位と反対側の面は、凹凸状とされている。
【００８０】
本発明の好ましい実施の形態においては、前記半導体素子は、前記機能面に形成された機能面側電極を有している。
【００８１】
本発明の好ましい実施の形態においては、前記機能面側電極は、前記機能面が向く方向に突出する機能面側凸部を具備しており、前記機能面側電極の前記機能面側凸部と前記導通支持部材とは、固相接合によって接合されている。
【００８２】
本発明の好ましい実施の形態においては、前記導通支持部材は、前記機能面側電極に向かって突出する導通支持部材側凸部を有しており、前記機能面側電極と前記導通支持部材の前記導通支持部材側凸部とは、固相接合によって接合されている。
【００８３】
本発明の好ましい実施の形態においては、前記機能面側電極は、前記機能面に接する基材層を有する。
【００８４】
本発明の好ましい実施の形態においては、前記基材層は、Ａｌからなる。
【００８５】
本発明の好ましい実施の形態においては、前記機能面側電極は、前記基材層上に積層された下地層を有する。
【００８６】
本発明の好ましい実施の形態においては、前記下地層は、Ｔｉ、ＷおよびＴａのいずれかからなる。
【００８７】
本発明の好ましい実施の形態においては、前記機能面側電極は、前記下地層上に積層された再配線層を有する。
【００８８】
本発明の好ましい実施の形態においては、前記再配線層は、Ｃｕからなる。
【００８９】
本発明の好ましい実施の形態においては、前記再配線層は、平面視において前記基材層よりも大である。
【００９０】
本発明の好ましい実施の形態においては、前記機能面側電極は、最表層に位置する接合促進層を有する。
【００９１】
本発明の好ましい実施の形態においては、前記機能面側電極の前記接合促進層は、ＮｉおよびＰｄの少なくともいずれかを含む。
【００９２】
本発明の好ましい実施の形態においては、前記機能面を覆い、かつ前記機能面側電極を前記機能面に到達させる貫通孔が形成されたパッシベーション膜を備える。
【００９３】
本発明の好ましい実施の形態においては、前記パッシベーション膜は、ＳｉＮからなる。
【００９４】
本発明の好ましい実施の形態においては、前記再配線層は、平面視において前記パッシベーション膜と重なる。
【００９５】
本発明の好ましい実施の形態においては、前記パッシベーション膜上に積層された保護膜を備える。
【００９６】
本発明の好ましい実施の形態においては、前記保護膜は、ポリイミドからなる。
【００９７】
本発明の好ましい実施の形態においては、前記再配線層は、平面視において前記保護膜と重なる。
【００９８】
本発明の好ましい実施の形態においては、前記導通支持部材は、金属からなるリードである。
【００９９】
本発明の好ましい実施の形態においては、前記リードの一部が、前記樹脂パッケージから突出している。
【０１００】
本発明の好ましい実施の形態においては、前記リードのうち前記機能面側電極に接合された部位と反対側の面は、凹凸状とされている。
【０１０１】
本発明のその他の特徴および利点は、添付図面を参照して以下に行う詳細な説明によって、より明らかとなろう。
【図面の簡単な説明】
【０１０２】
【図１】半発明の第一実施形態に基づく半導体装置を示す平面図である。
【図２】図１の半導体装置を示す底面図である。
【図３】図１の半導体装置を示す正面図である。
【図４】図１の半導体装置を示す側面図である。
【図５】図１のＶ−Ｖ線に沿う断面図である。
【図６】図１の半導体装置を示す要部拡大断面図である。
【図７】図１の半導体装置の製造方法の一例を示す要部拡大断面図である。
【図８】図１の半導体装置の製造方法の一例を示す要部拡大断面図である。
【図９】図１の半導体装置の製造方法の一例を示す要部拡大断面図である。
【図１０】図１の半導体装置の製造方法の一例を示す要部拡大断面図である。
【図１１】図１の半導体装置の製造方法の一例を示す要部拡大断面図である。
【図１２】図１の半導体装置の製造方法の一例を示す要部拡大断面図である。
【図１３】図１の半導体装置の製造方法の一例を示す断面図である。
【図１４】図１の半導体装置の製造方法の一例を示す要部拡大断面図である。
【図１５】半発明の第二実施形態に基づく半導体装置を示す平面図である。
【図１６】図１５の半導体装置を示す底面図である。
【図１７】図１５の半導体装置を示す正面図である。
【図１８】図１５の半導体装置を示す側面図である。
【図１９】図１５のＸＩＸ−ＸＩＸ線に沿う断面図である。
【図２０】図１５の半導体装置を示す要部拡大断面図である。
【図２１】図１５の半導体装置の変形例を示す要部拡大断面図である。
【図２２】図１５の半導体装置の他の変形例を示す要部拡大断面図である。
【図２３】図１５の半導体装置の他の変形例を示す要部拡大断面図である。
【図２４】図１５の半導体装置の他の変形例を示す要部拡大断面図である。
【図２５】半発明の第三実施形態に基づく半導体装置を示す平面図である。
【図２６】図２５の半導体装置を示す底面図である。
【図２７】図２５の半導体装置を示す正面図である。
【図２８】図２５の半導体装置を示す側面図である。
【図２９】図２５のＸＸＩＸ−ＸＸＩＸ線に沿う断面図である。
【図３０】図２５の半導体装置を示す要部拡大断面図である。
【図３１】図２５の半導体装置の変形例を示す要部拡大断面図である。
【発明を実施するための形態】
【０１０３】
以下、本発明の好ましい実施の形態につき、図面を参照して具体的に説明する。
【０１０４】
図１〜図６は、本発明の第一実施形態に基づく半導体装置を示している。本実施形態の半導体装置Ａ１は、リード１０１〜１０７、半導体素子３００および封止樹脂４００を備えている。
【０１０５】
図１は、半導体装置Ａ１を示す平面図である。図２は、半導体装置Ａ１を示す底面図である。図３は、半導体装置Ａ１を示す正面図である。図４は、半導体装置Ａ１を示す側面図である。図５は、図１のＶ−Ｖ線に沿う断面図である。図６は、半導体装置Ａ１を示す要部拡大断面図である。
【０１０６】
リード１０１〜１０７は、本発明で言う導通支持部材の一例である。リード１０１〜１０７は、半導体素子３００と半導体装置Ａ１外との導通経路を構成するとともに、半導体素子３００を支持している。リード１０１〜１０７は、金属からなり、好ましくはＣｕおよびＮｉのいずれか、またはこれらの合金や４２アロイなどからなる。また、リード１０１〜１０７の表面に、Ｔｉ、Ａｇ、Ｐｄ、Ａｕなどのめっき層を設けてもよい。本実施形態においては、リード１０１〜１０７が、Ｃｕからなる場合を例に説明する。リード１０１〜１０７の厚さは特に限定されないが、たとえば５０μｍ〜５００μｍ、好ましくは１００μｍ〜１５０μｍである。
【０１０７】
リード１０１〜１０７は、それぞれが、対向部１１０および端子部１２０を有している。対向部１１０は、平面視において半導体素子３００と重なっており、後述する半導体素子３００の機能面側電極３３０と対向する部分である。端子部１２０は、封止樹脂４００から露出しており、半導体装置Ａ１を回路基板などに実装するために用いられる。図３および図５に示すように、リード１０１〜１０７は、対向部１１０と端子部１２０との間に屈曲部を有している。また、リード１０１は、２つの端子部１２０を有している。
【０１０８】
図５に示すように、対向部１１０は、接合面１１３および裏面１１４を有している。接合面１１３は、半導体素子３００の機能面側電極３３０に対面する面であり、機能面側電極３３０に接合されている。裏面１１４は、接合面１１３とは反対側を向く面である。図２および図６に示すように、対向部１１０の裏面１１４は、凹凸状とされている。この凹凸状部分の深さは、たとえば２０μｍ程度である。
【０１０９】
本実施形態においては、図１に示すように、リード１０１、リード１０４およびリード１０６の端子部１２０が、図中左方に突出している。また、リード１０２、リード１０３、リード１０５およびリード１０７の端子部１２０が、図中右方に突出している。リード１０１の対向部１１０は、比較的大型である。リード１０２およびリード１０３の対向部１１０は、リード１０１の対向部１１０よりも小型であり、ｙ方向に並んでいる。リード１０１の対向部１１０とリード１０２およびリード１０３の対向部１１０とは、ｘ方向に並んでいる。リード１０４、リード１０５、リード１０６およびリード１０７の対向部１１０は、比較的小型である。リード１０６およびリード１０７の対向部１１０がｘ方向中央寄りにおいてｘ方向に並んで配置されている。リード１０４およびリード１０５の対向部１１０は、リード１０６およびリード１０７の対向部１１０を挟んでｘ方向両側に配置されている。
【０１１０】
半導体素子３００は、半導体装置Ａ１の機能を発揮する素子であり、その種類は特に限定されないが、トランジスタ、ダイオード、ＬＳＩなど種々の素子を選択できる。図５に示すように、半導体素子３００は、機能面３１０および裏面３２０を有している。裏面３２０は、半導体素子３００の機能を実現する機能回路（図示略）が形成された面である。裏面３２０は、機能面３１０とは反対側を向く面である。半導体素子３００は、たとえばＳｉなどからなるウエハから製造される。
【０１１１】
半導体素子３００は、複数の機能面側電極３３０、パッシベーション膜３４０および保護膜３５０を有している。
【０１１２】
複数の機能面側電極３３０は、機能面３１０に形成されており、リード１０１〜１０７に各別に導通している。本実施形態においては、リード１０１〜リード１０７に対応して７つの機能面側電極３３０が形成されている。これらの機能面側電極３３０は、大きさや配置が異なるものの、基本的な構成は共通している。
【０１１３】
本実施形態においては、図１に示すように、リード１０１の対向部１１０に対向する機能面側電極３３０は、比較的大型であり、ｙ方向を長手方向とする平面視永矩形状である。リード１０２およびリード１０３の対向部１１０と対向する２つの機能面側電極３３０は、平面視略正方形状であり、ｙ方向に並んでいる。リード１０１の対向部１１０に対向する機能面側電極３３０とリード１０２およびリード１０３の対向部１１０に対向する２つの機能面側電極３３０とは、ｘ方向に並んでいる。リード１０４、リード１０５、リード１０６およびリード１０７の対向部１１０に対向する４つの機能面側電極３３０は、比較的小型であり、平面視略正方形状である。リード１０６およびリード１０７の対向部１１０に対向する２つの機能面側電極３３０がｘ方向中央寄りにおいてｘ方向に並んで配置されている。リード１０４およびリード１０５の対向部１１０に対向する２つの機能面側電極３３０は、リード１０６およびリード１０７の対向部１１０を挟んでｘ方向両側に配置されている。
【０１１４】
図１、図５および図６に示すように、機能面側電極３３０は、基材層３３１、下地層３３２、再配線層３３３、機能面側凸部３３４および接合促進層３３５を有している。
【０１１５】
基材層３３１は、機能面３１０に接しており、機能面３１０の前記機能回路の適所に直接導通する部分である。機能面３１０は、たとえばＡｌからなる。基材層３３１の厚さは、たとえば０．１μｍ〜１０μｍである。
【０１１６】
ここで、パッシベーション膜３４０および保護膜３５０について説明する。パッシベーション膜３４０は、半導体素子３００の主体であるＳｉに過度な力が負荷されることを防止するためのものであり、たとえばＳｉＮなどの絶縁材料からなる。パッシベーション膜３４０の厚さは、たとえば２００ｎｍ〜３μｍである。保護膜３５０は、パッシベーション膜３４０上に積層されており、半導体素子３００の主体であるＳｉに過度な力が負荷されることを防止したり、再配線層３３３の形成を容易化するためのものである。保護膜３５０は、たとえばポリイミドなどの絶縁材料からなる。保護膜３５０の厚さは、たとえば５μｍ程度である。
【０１１７】
パッシベーション膜３４０には、貫通孔３４１が形成されている。貫通孔３４１は、機能面側電極３３０の基材層３３１を露出させるために設けられている。本実施形態においては、パッシベーション膜３４０のうち貫通孔３４１の周辺部分が、基材層３３１の端縁を覆っている。保護膜３５０には、貫通孔３５１が形成されている。貫通孔３５１は、平面視において貫通孔３４１と一致しており、機能面側電極３３０の基材層３３１を露出させるために設けられている。
【０１１８】
機能面側電極３３０の説明に戻る。下地層３３２は、再配線層３３３を形成するための下地をなす層である。下地層３３２は、平面視において、機能面側電極３３０の形状に一致する。すなわち、下地層３３２は、基材層３３１のうちパッシベーション膜３４０および保護膜３５０から露出した部分と、パッシベーション膜３４０の貫通孔３４１、保護膜３５０の貫通孔３５１および保護膜３５０の適所を覆っている。下地層３３２は、たとえばＴｉ、ＴｉＷおよびＴａなどからなる。下地層３３２の厚さは、１００ｎｍ程度である。
【０１１９】
再配線層３３３は、機能面側電極３３０の主体をなす層であり、平面視において基材層３３１よりも大である。再配線層３３３の材質は特に限定されないが、本実施形態においては、Ｃｕからなる。再配線層３３３の厚さは、たとえば１０μｍ程度である。
【０１２０】
機能面側凸部３３４は、再配線層３３３上に形成されており、機能面３１０が向く方向に突出している。機能面側凸部３３４の材質は、導電性材料であれば特に限定されないが、本実施形態においては、Ｃｕである。また、機能面側凸部３３４の形状は特に限定されないが、本実施形態においては、円柱形状である。機能面側凸部３３４の大きさは、直径が２５μｍ〜２００μｍ、高さが１０μｍ〜５００μｍである。平面視において、機能面側凸部３３４は、基材層３３１とは重なっておらず、基材層３３１を避けた位置に配置されている。また、機能面側凸部３３４は、平面視においてパッシベーション膜３４０および保護膜３５０と重なっている。
【０１２１】
また、本実施形態においては、図１に示すように、リード１０１、リード１０２およびリード１０３の対向部１１０に対向する３つの機能面側電極３３０には、複数の機能面側凸部３３４が形成されている。リード１０１の対向部１１０に対向する機能面側凸部３３４には、４行２列の８個の機能面側凸部３３４が形成されている。リード１０２およびリード１０３の対向部１１０に対向する機能面側電極３３０には、２行２列の４個の機能面側凸部３３４が形成されている。リード１０４〜１０７の対向部１１０に対向する機能面側電極３３０には、１つずつの機能面側凸部３３４が形成されている。
【０１２２】
接合促進層３３５は、機能面側電極３３０の最表層を構成しており、本実施形態においては、機能面側凸部３３４および再配線層３３３を覆っている。接合促進層３３５は、機能面側電極３３０とリード１０１〜１０７の対向部１１０との接合を強化するためのものである。接合促進層３３５は、ＮｉおよびＰｄの少なくともいずれかを含んでおり、本実施形態においては、機能面側凸部３３４および再配線層３３３を直接覆うＮｉ層と、このＮｉ層上に積層されたＰｄ層からなる。接合促進層３３５の厚さは、たとえば１００ｎｍ〜１０μｍ程度である。また、接合促進層３３５の材質としては、上記以外にＣｕ、Ａｌ、Ｔｉ、Ａｕなどを適宜採用できる。
【０１２３】
機能面側電極３３０とリード１０１〜１０７の対向部１１０とは、固相接合によって接合されている。より具体的には、機能面側凸部３３４の頂面と対向部１１０の接合面１１３とが固相接合されている。なお、本実施形態においては、機能面側凸部３３４と対向部１１０の接合面１１３との間に接合促進層３３５が介在する構成となっている。なお、機能面側電極３３０に接合促進層３３５を形成することに加えて、あるいはこれに代えて、対向部１１０の接合面１１３に接合促進層を形成してもよい。
【０１２４】
封止樹脂４００は、半導体素子３００の全体と、リード１０１〜１０７のうち端子部１２０を除く部分とを覆っている。封止樹脂４００は、絶縁性材料からなり、本実施形態においては、たとえば黒色のエポキシ樹脂からなる。本実施形態においては、４００は、機能面側凸部３３４を避けた領域において、対向部１１０の接合面１１３と機能面側電極３３０の接合促進層３３５との間にも充填されている。
【０１２５】
次に、半導体装置Ａ１の製造方法の一例について、以下に説明する。
【０１２６】
まず、図７に示すように、半導体素子３００に基材層３３１を形成する。基材層３３１は、半導体素子３００の機能面３１０に形成された機能回路（図示略）の適所に導通する。基材層３３１は、たとえばＡｌを用いためっきによってパターン形成する。基材層３３１の厚さは、たとえば０．１μｍ〜１０μｍである。
【０１２７】
次いで、図８に示すように、パッシベーション膜３４０および保護膜３５０を形成する。パッシベーション膜３４０および保護膜３５０の形成は、たとえばＳｉＮ膜およびポリイミド膜を機能面３１０全面に形成する。前記ＳｉＮ膜の厚さは、たとえば２００ｎｍ〜３μｍである。また、前記ポリイミド膜の厚さは、たとえば５μｍ程度である。そして、エッチングなどのパターニングにより、前記ＳｉＮ膜および前記ポリイミド膜に基材層３３１を露出させる貫通孔３４１および貫通孔３５１を形成する。これにより、パッシベーション膜３４０および保護膜３５０が得られる。
【０１２８】
次いで、図９に示すように、下地層３３２を形成する。具体的には、基材層３３１のうちパッシベーション膜３４０および保護膜３５０から露出する部分と、貫通孔３４１および貫通孔３５１と、保護膜３５０とを覆うように、厚さが１００ｎｍ程度のＴｉ、ＴｉＷおよびＴａなどからなる膜を形成する。製膜方法は特に限定されないが、ＣＶＤやスパッタなどを用いることができる。なお、下地層３３２の形状、大きさおよび配置は、形成すべき機能面側電極３３０の形状、大きさおよび配置に対応させる。
【０１２９】
次いで、図１０に示すように、再配線層３３３を形成する。再配線層３３３の形成は、たとえば下地層３３２を利用した電解メッキによって行う。再配線層３３３は、たとえばＣｕからなり、その厚さが１０μｍ程度である。再配線層３３３の形状、大きさおよび配置は、下地層３３２と略一致する。
【０１３０】
次いで、図１１に示すように、機能面側凸部３３４を形成する。機能面側凸部３３４の形成は、たとえばメッキやスパッタリングとパターニングとを組み合わせることによって行う。たとえば、機能面側凸部３３４の平面視形状に一致する開口を有するマスクを用意し、このマスクを用いてメッキやスパッタリングによってＣｕを付着させる。または、メッキやスパッタリングによって形成したＣｕ膜に対して、エッチング処理などを施すことにより、機能面側凸部３３４を形成する。
【０１３１】
次いで、図１２に示すように、接合促進層３３５を形成する。接合促進層３３５の形成は、再配線層３３３および機能面側凸部３３４を覆うように、たとえばめっきによってＮｉ層およびＰｄ層を順次形成することによって行う。接合促進層３３５の厚さは、たとえば１００ｎｍ〜１０μｍである。
【０１３２】
次いで、図１３に示すように、リード１０１〜１０７の対向部１１０の接合面１１３と半導体素子３００の複数の機能面側電極３３０とを接合する。この接合においては、たとえば、半導体素子３００をテーブル８０１に固定し、リード１０１〜１０７の対向部１１０の裏面１１４に治具８０２を押し付ける。治具８０２の図中下面には複数の突起が形成されている。治具８０２からリード１０１〜１０７に所定の押圧力を加えた状態で、治具８０２をｘｙ平面内において振動させる。この振動は、たとえば超音波と比べて低周波数であり、たとえば１００Ｈｚ以下、具体的には５０Ｈｚ〜６０Ｈｚである。これにより、図１４に示すように、接合促進層３３５を挟んで機能面側凸部３３４と対向部１１０とが固相接合される。また、対向部１１０の裏面１１４は、治具８０２が押し付けられた痕跡として、凹凸状の形状とされる。
【０１３３】
この後は、封止樹脂４００を形成するなどの工程を経ることにより、半導体装置Ａ１が得られる。
【０１３４】
次に、半導体装置Ａ１の作用について説明する。
【０１３５】
本実施形態によれば、機能面側凸部３３４とリード１０１〜１０７の対向部１１０とが固相接合によって接合されている。固相接合は、両者が直接接合される接合形態であり、ワイヤやはんだなど、両者の間に介在する接合媒体を必要としない。また、すべての機能面側凸部３３４とリード１０１〜１０７の対向部１１０との固相接合を一括して実施することができる。これにより、半導体装置Ａ１の製造効率を向上させることが可能である。また、機能面側凸部３３４とリード１０１〜１０７の対向部１１０との接合強度を高めることができる。
【０１３６】
機能面側凸部３３４を設けることにより、機能面側電極３３０とリード１０１〜１０７の対向部１１０との接合面積を縮小することが可能である。これにより、固相接合時において所定の接合圧力を得るために加えるべき力の大きさをより小さくすることができる。これにより、半導体素子３００が意図せず損傷することなどを防止することができる。また、機能面側凸部３３４を設けることにより、半導体素子３００の機能面３１０とリード１０１〜１０７の対向部１１０の接合面１１３との間に、封止樹脂４００を確実に充填することが可能である。これにより、半導体装置Ａ１において絶縁されるべき箇所をより確実に絶縁することができる。
【０１３７】
機能面側凸部３３４が基材層３３１と平面視において重ならないことにより、半導体素子３００の主体をなすＳｉに固相接合時の力が過大に負荷されることを回避することができる。また、機能面側凸部３３４を平面視においてパッシベーション膜３４０および保護膜３５０と重ならせることにより、固相接合時の力をパッシベーション膜３４０および保護膜３５０によって吸収することができる。
【０１３８】
接合促進層３３５を設けることにより、機能面側凸部３３４と対向部１１０との固相接合をより確実に行うことができる。
【０１３９】
図１５〜図３１は、本発明の他の実施形態を示している。なお、これらの図において、上記実施形態と同一または類似の要素には、上記実施形態と同一の符号を付している。
【０１４０】
図１５〜図２０は、本発明の第二実施形態に基づく半導体装置を示している。本実施形態の半導体装置Ａ２は、リード１０１〜１０７、半導体素子３００および封止樹脂４００を備えている。
【０１４１】
図１５は、半導体装置Ａ２を示す平面図である。図１６は、半導体装置Ａ２を示す底面図である。図１７は、半導体装置Ａ２を示す正面図である。図１８は、半導体装置Ａ２を示す側面図である。図１９は、図１５のＸＩＸ−ＸＩＸ線に沿う断面図である。図２０は、半導体装置Ａ２を示す要部拡大断面図である。
【０１４２】
リード１０１〜１０７は、本発明で言う導通支持部材の一例である。リード１０１〜１０７は、半導体素子３００と半導体装置Ａ２外との導通経路を構成するとともに、半導体素子３００を支持している。リード１０１〜１０７は、金属からなり、好ましくはＣｕおよびＮｉのいずれか、またはこれらの合金や４２アロイなどからなる。また、リード１０１〜１０７の表面に、Ｔｉ、Ａｇ、Ｐｄ、Ａｕなどのめっき層を設けてもよい。本実施形態においては、リード１０１〜１０７が、Ｃｕからなる場合を例に説明する。リード１０１〜１０７の厚さは特に限定されないが、たとえば５０μｍ〜５００μｍ、好ましくは１００μｍ〜１５０μｍである。
【０１４３】
リード１０１〜１０７は、それぞれが、対向部１１０および端子部１２０を有している。対向部１１０は、平面視において半導体素子３００と重なっており、後述する半導体素子３００の機能面側電極３３０と対向する部分である。端子部１２０は、封止樹脂４００から露出しており、半導体装置Ａ２を回路基板などに実装するために用いられる。図１７および図１９に示すように、リード１０１〜１０７は、対向部１１０と端子部１２０との間に屈曲部を有している。また、リード１０１は、２つの端子部１２０を有している。
【０１４４】
図１９に示すように、対向部１１０は、接合面１１３および裏面１１４を有している。接合面１１３は、半導体素子３００の機能面側電極３３０に対面する面である。本実施形態においては、対向部１１０の接合面１１３に導通支持部材側凸部１１１が形成されている。導通支持部材側凸部１１１は、接合面１１３から機能面側電極３３０に向かって突出している。導通支持部材側凸部１１１の形状は特に限定されないが、本実施形態においては、導通支持部材側凸部１１１は、円柱形状とされている。導通支持部材側凸部１１１の大きさは、直径がたとえば直径が２５μｍ〜２００μｍ、高さが１０μｍ〜５００μｍである。このような導通支持部材側凸部１１１は、たとえばエッチングによって形成することができる。裏面１１４は、接合面１１３とは反対側を向く面である。図１６および図２０に示すように、対向部１１０の裏面１１４は、凹凸状とされている。この凹凸状部分の深さは、たとえば２０μｍ程度である。
【０１４５】
本実施形態においては、図１５に示すように、リード１０１、リード１０４およびリード１０６の端子部１２０が、図中左方に突出している。また、リード１０２、リード１０３、リード１０５およびリード１０７の端子部１２０が、図中右方に突出している。リード１０１の対向部１１０は、比較的大型である。リード１０２およびリード１０３の対向部１１０は、リード１０１の対向部１１０よりも小型であり、ｙ方向に並んでいる。リード１０１の対向部１１０とリード１０２およびリード１０３の対向部１１０とは、ｘ方向に並んでいる。リード１０４、リード１０５、リード１０６およびリード１０７の対向部１１０は、比較的小型である。リード１０６およびリード１０７の対向部１１０がｘ方向中央寄りにおいてｘ方向に並んで配置されている。リード１０４およびリード１０５の対向部１１０は、リード１０６およびリード１０７の対向部１１０を挟んでｘ方向両側に配置されている。
【０１４６】
半導体素子３００は、半導体装置Ａ２の機能を発揮する素子であり、その種類は特に限定されないが、トランジスタ、ダイオード、ＬＳＩなど種々の素子を選択できる。図１９に示すように、半導体素子３００は、機能面３１０および裏面３２０を有している。裏面３２０は、半導体素子３００の機能を実現する機能回路（図示略）が形成された面である。裏面３２０は、機能面３１０とは反対側を向く面である。半導体素子３００は、たとえばＳｉなどからなるウエハから製造される。
【０１４７】
半導体素子３００は、複数の機能面側電極３３０、パッシベーション膜３４０および保護膜３５０を有している。
【０１４８】
複数の機能面側電極３３０は、機能面３１０に形成されており、リード１０１〜１０７に各別に導通している。本実施形態においては、リード１０１〜リード１０７に対応して７つの機能面側電極３３０が形成されている。これらの機能面側電極３３０は、大きさや配置が異なるものの、基本的な構成は共通している。
【０１４９】
本実施形態においては、図１５に示すように、リード１０１の対向部１１０に対向する機能面側電極３３０は、比較的大型であり、ｙ方向を長手方向とする平面視永矩形状である。リード１０２およびリード１０３の対向部１１０と対向する２つの機能面側電極３３０は、平面視略正方形状であり、ｙ方向に並んでいる。リード１０１の対向部１１０に対向する機能面側電極３３０とリード１０２およびリード１０３の対向部１１０に対向する２つの機能面側電極３３０とは、ｘ方向に並んでいる。リード１０４、リード１０５、リード１０６およびリード１０７の対向部１１０に対向する４つの機能面側電極３３０は、比較的小型であり、平面視略正方形状である。リード１０６およびリード１０７の対向部１１０に対向する２つの機能面側電極３３０がｘ方向中央寄りにおいてｘ方向に並んで配置されている。リード１０４およびリード１０５の対向部１１０に対向する２つの機能面側電極３３０は、リード１０６およびリード１０７の対向部１１０を挟んでｘ方向両側に配置されている。
【０１５０】
図１５、図１９および図２０に示すように、機能面側電極３３０は、基材層３３１、下地層３３２、再配線層３３３および接合促進層３３５を有している。
【０１５１】
基材層３３１は、機能面３１０に接しており、機能面３１０の前記機能回路の適所に直接導通する部分である。機能面３１０は、たとえばＡｌからなる。基材層３３１の厚さは、たとえば０．１μｍ〜１０μｍである。
【０１５２】
ここで、パッシベーション膜３４０および保護膜３５０について説明する。パッシベーション膜３４０は、半導体素子３００の主体であるＳｉに過度な力が負荷されることを防止するためのものであり、たとえばＳｉＮなどの絶縁材料からなる。パッシベーション膜３４０の厚さは、たとえば２００ｎｍ〜３μｍである。保護膜３５０は、パッシベーション膜３４０上に積層されており、半導体素子３００の主体であるＳｉに過度な力が負荷されることを防止したり、再配線層３３３の形成を容易化するためのものである。保護膜３５０は、たとえばポリイミドなどの絶縁材料からなる。保護膜３５０の厚さは、たとえば５μｍ程度である。
【０１５３】
パッシベーション膜３４０には、貫通孔３４１が形成されている。貫通孔３４１は、機能面側電極３３０の基材層３３１を露出させるために設けられている。本実施形態においては、パッシベーション膜３４０のうち貫通孔３４１の周辺部分が、基材層３３１の端縁を覆っている。保護膜３５０には、貫通孔３５１が形成されている。貫通孔３５１は、平面視において貫通孔３４１と一致しており、機能面側電極３３０の基材層３３１を露出させるために設けられている。
【０１５４】
機能面側電極３３０の説明に戻る。下地層３３２は、再配線層３３３を形成するための下地をなす層である。下地層３３２は、平面視において、機能面側電極３３０の形状に一致する。すなわち、下地層３３２は、基材層３３１のうちパッシベーション膜３４０および保護膜３５０から露出した部分と、パッシベーション膜３４０の貫通孔３４１、保護膜３５０の貫通孔３５１および保護膜３５０の適所を覆っている。下地層３３２は、たとえばＴｉ、ＴｉＷおよびＴａなどからなる。下地層３３２の厚さは、１００ｎｍ程度である。
【０１５５】
再配線層３３３は、機能面側電極３３０の主体をなす層であり、平面視において基材層３３１よりも大である。再配線層３３３の材質は特に限定されないが、本実施形態においては、Ｃｕからなる。再配線層３３３の厚さは、たとえば１０μｍ程度である。
【０１５６】
なお、平面視において、導通支持部材側凸部１１１は、基材層３３１とは重なっておらず、基材層３３１を避けた位置に配置されている。また、導通支持部材側凸部１１１は、平面視においてパッシベーション膜３４０および保護膜３５０と重なっている。
【０１５７】
また、本実施形態においては、図１５に示すように、リード１０１、リード１０２およびリード１０３の対向部１１０には、複数の導通支持部材側凸部１１１が形成されている。リード１０１の対向部１１０には、４行２列の８個の導通支持部材側凸部１１１が形成されている。リード１０２およびリード１０３の対向部１１０には、２行２列の４個の導通支持部材側凸部１１１が形成されている。リード１０４〜１０７の対向部１１０には、１つずつの導通支持部材側凸部１１１が形成されている。
【０１５８】
接合促進層３３５は、機能面側電極３３０の最表層を構成しており、本実施形態においては、再配線層３３３を覆っている。接合促進層３３５は、機能面側電極３３０とリード１０１〜１０７の対向部１１０の導通支持部材側凸部１１１との接合を強化するためのものである。接合促進層３３５は、ＮｉおよびＰｄの少なくともいずれかを含んでおり、本実施形態においては、再配線層３３３を直接覆うＮｉ層と、このＮｉ層上に積層されたＰｄ層からなる。接合促進層３３５の厚さは、たとえば１００ｎｍ〜１０μｍ程度である。また、接合促進層３３５の材質としては、上記以外にＣｕ、Ａｌ、Ｔｉ、Ａｕなどを適宜採用できる。
【０１５９】
機能面側電極３３０とリード１０１〜１０７の対向部１１０とは、固相接合によって接合されている。より具体的には、機能面側電極３３０の再配線層３３３と対向部１１０の導通支持部材側凸部１１１とが固相接合されている。なお、本実施形態においては、再配線層３３３と対向部１１０の導通支持部材側凸部１１１との間に接合促進層３３５が介在する構成となっている。なお、機能面側電極３３０に接合促進層３３５を形成することに加えて、あるいはこれに代えて、対向部１１０の導通支持部材側凸部１１１に接合促進層を形成してもよい。
【０１６０】
封止樹脂４００は、半導体素子３００の全体と、リード１０１〜１０７のうち端子部１２０を除く部分とを覆っている。封止樹脂４００は、絶縁性材料からなり、本実施形態においては、たとえば黒色のエポキシ樹脂からなる。本実施形態においては、４００は、導通支持部材側凸部１１１を避けた領域において、対向部１１０の接合面１１３と機能面側電極３３０の接合促進層３３５との間にも充填されている。
【０１６１】
本実施形態によれば、機能面側電極３３０とリード１０１〜１０７の対向部１１０の導通支持部材側凸部１１１とが固相接合によって接合されている。固相接合は、両者が直接接合される接合形態であり、ワイヤやはんだなど、両者の間に介在する接合媒体を必要としない。また、すべての機能面側電極３３０とリード１０１〜１０７の対向部１１０の導通支持部材側凸部１１１との固相接合を一括して実施することができる。これにより、半導体装置Ａ２の製造効率を向上させることが可能である。また、機能面側電極３３０とリード１０１〜１０７の対向部１１０との接合強度を高めることができる。
【０１６２】
導通支持部材側凸部１１１を設けることにより、機能面側電極３３０とリード１０１〜１０７の対向部１１０との接合面積を縮小することが可能である。これにより、固相接合時において所定の接合圧力を得るために加えるべき力の大きさをより小さくすることができる。これにより、半導体素子３００が意図せず損傷することなどを防止することができる。また、導通支持部材側凸部１１１を設けることにより、半導体素子３００の機能面３１０とリード１０１〜１０７の対向部１１０の接合面１１３との間に、封止樹脂４００を確実に充填することが可能である。これにより、半導体装置Ａ２において絶縁されるべき箇所をより確実に絶縁することができる。
【０１６３】
導通支持部材側凸部１１１が基材層３３１と平面視において重ならないことにより、半導体素子３００の主体をなすＳｉに固相接合時の力が過大に負荷されることを回避することができる。また、導通支持部材側凸部１１１を平面視においてパッシベーション膜３４０および保護膜３５０と重ならせることにより、固相接合時の力をパッシベーション膜３４０および保護膜３５０によって吸収することができる。
【０１６４】
接合促進層３３５を設けることにより、機能面側凸部３３４と対向部１１０との固相接合をより確実に行うことができる。
【０１６５】
図２１〜図２４は、半導体装置Ａ２の複数の変形例を示している。
【０１６６】
図２１に示す変形例においては、導通支持部材側凸部１１１に貫通孔１１２が形成されている。貫通孔１１２は、導通支持部材側凸部１１１をｚ方向に貫通している。これにより、導通支持部材側凸部１１１のうち機能面側電極３３０に接合される部分は、円環状となっている。
【０１６７】
このような変形例によっても、半導体装置Ａ２の製造効率の向上と接合の確実化とを図ることができる。また、貫通孔１１２を設けることにより、導通支持部材側凸部１１１と機能面側電極３３０との接触面積がさらに縮小される。これにより、固相接合時に、半導体素子３００に負荷される力をより小さくすることができる。
【０１６８】
図２２および図２３に示す変形例においては、対向部１１０の一部が折り曲げられることによって導通支持部材側凸部１１１が形成されている。図２２に示す変形例においては、対向部１１０の一部がコの字状に折り返されていることにより、導通支持部材側凸部１１１が形成されている。図２３に示す変形例においては、対向部１１０の一部がクランク状に折り曲げられることにより、導通支持部材側凸部１１１が形成されている。
【０１６９】
このような変形例によっても、半導体装置Ａ２の製造効率の向上と接合の確実化とを図ることができる。
【０１７０】
図２４に示す変形例においては、半導体素子３００の機能面側電極３３０の再配線層３３３が形成されていない。また、対向部１１０の導通支持部材側凸部１１１が、平面視において基材層３３１と重なる位置に配置されている。
【０１７１】
このような変形例によっても、半導体装置Ａ２の製造効率の向上と接合の確実化とを図ることができる。
【０１７２】
図２５〜図３０は、本発明の第三実施形態に基づく半導体装置を示している。本実施形態の半導体装置Ａ３は、リード１０１〜１０７、放熱部材２００、半導体素子３００および封止樹脂４００を備えている。
【０１７３】
図２５は、半導体装置Ａ３を示す平面図である。図２６は、半導体装置Ａ３を示す底面図である。図２７は、半導体装置Ａ３を示す正面図である。図２８は、半導体装置Ａ３を示す側面図である。図２９は、図２５のＸＸＩＸ−ＸＸＩＸ線に沿う断面図である。図３０は、半導体装置Ａ３を示す要部拡大断面図である。
【０１７４】
リード１０１〜１０７は、本発明で言う導通支持部材の一例である。リード１０１〜１０７は、半導体素子３００と半導体装置Ａ３外との導通経路を構成するとともに、半導体素子３００を支持している。リード１０１〜１０７は、金属からなり、好ましくはＣｕおよびＮｉのいずれか、またはこれらの合金や４２アロイなどからなる。また、リード１０１〜１０７の表面に、Ｔｉ、Ａｇ、Ｐｄ、Ａｕなどのめっき層を設けてもよい。本実施形態においては、リード１０１〜１０７が、Ｃｕからなる場合を例に説明する。リード１０１〜１０７の厚さは特に限定されないが、たとえば５０μｍ〜５００μｍ、好ましくは１００μｍ〜１５０μｍである。
【０１７５】
リード１０１〜１０７は、それぞれが、対向部１１０および端子部１２０を有している。対向部１１０は、平面視において半導体素子３００と重なっており、後述する半導体素子３００の機能面側電極３３０と対向する部分である。端子部１２０は、封止樹脂４００から露出しており、半導体装置Ａ３を回路基板などに実装するために用いられる。図２７および図２９に示すように、リード１０１〜１０７は、対向部１１０と端子部１２０との間に屈曲部を有している。また、リード１０１は、２つの端子部１２０を有している。
【０１７６】
図２９に示すように、対向部１１０は、接合面１１３および裏面１１４を有している。接合面１１３は、半導体素子３００の機能面側電極３３０に対面する面であり、機能面側電極３３０に接合されている。裏面１１４は、接合面１１３とは反対側を向く面である。図２６および図３０に示すように、対向部１１０の裏面１１４は、凹凸状とされている。この凹凸状部分の深さは、たとえば２０μｍ程度である。
【０１７７】
本実施形態においては、図２５に示すように、リード１０１、リード１０４およびリード１０６の端子部１２０が、図中左方に突出している。また、リード１０２、リード１０３、リード１０５およびリード１０７の端子部１２０が、図中右方に突出している。リード１０１の対向部１１０は、比較的大型である。リード１０２およびリード１０３の対向部１１０は、リード１０１の対向部１１０よりも小型であり、ｙ方向に並んでいる。リード１０１の対向部１１０とリード１０２およびリード１０３の対向部１１０とは、ｘ方向に並んでいる。リード１０４、リード１０５、リード１０６およびリード１０７の対向部１１０は、比較的小型である。リード１０６およびリード１０７の対向部１１０がｘ方向中央寄りにおいてｘ方向に並んで配置されている。リード１０４およびリード１０５の対向部１１０は、リード１０６およびリード１０７の対向部１１０を挟んでｘ方向両側に配置されている。
【０１７８】
放熱部材２００は、半導体素子３００に接合されており、半導体素子３００からの放熱を促進するためのものである。放熱部材２００は、金属からなり、好ましくはＣｕおよびＮｉのいずれか、またはこれらの合金や４２アロイなどからなる。また、放熱部材２００の表面に、Ｔｉ、Ａｇ、Ｐｄ、Ａｕなどのめっき層を設けてもよい。放熱部材２００の厚さは特に限定されないが、たとえば５０μｍ〜５００μｍ、好ましくは１００μｍ〜１５０μｍである。本実施形態においては、放熱部材２００が、Ｃｕからなり、リード１０１〜リード１０７とともに形成されている場合を例に説明する。この場合、半導体装置Ａ３の製造工程においては、同一の板状部材から、リード１０１〜リード１０７と放熱部材２００とを形成する。また、半導体素子３００を挟んでリード１０１〜リード１０７と放熱部材２００とが対向する配置を実現するには、放熱部材２００に対してリード１０１〜リード１０７をｙ軸に延びる回転軸廻りに１８０°回転させる手法を採用しうる。
【０１７９】
図２９および図３０に示すように、放熱部材２００は、接合面２１０および裏面２２０を有している。接合面２１０は、半導体素子３００に対して接合されている。裏面２２０は、接合面２１０とは反対側を向く面である。本実施形態においては、裏面２２０は、封止樹脂４００から露出している。また、図２５および図３０に示すように、裏面２２０は、凹凸状とされている。この凹凸状部分の深さは、たとえば２０μｍ程度である。
【０１８０】
半導体素子３００は、半導体装置Ａ３の機能を発揮する素子であり、その種類は特に限定されないが、トランジスタ、ダイオード、ＬＳＩなど種々の素子を選択できる。図２９に示すように、半導体素子３００は、機能面３１０および裏面３２０を有している。裏面３２０は、半導体素子３００の機能を実現する機能回路（図示略）が形成された面である。裏面３２０は、機能面３１０とは反対側を向く面である。半導体素子３００は、たとえばＳｉなどからなるウエハから製造される。
【０１８１】
半導体素子３００は、複数の機能面側電極３３０、パッシベーション膜３４０、保護膜３５０、裏面金属層３６０および接合促進層３６１を有している。
【０１８２】
複数の機能面側電極３３０は、機能面３１０に形成されており、リード１０１〜１０７に各別に導通している。本実施形態においては、リード１０１〜リード１０７に対応して７つの機能面側電極３３０が形成されている。これらの機能面側電極３３０は、大きさや配置が異なるものの、基本的な構成は共通している。
【０１８３】
本実施形態においては、図２５に示すように、リード１０１の対向部１１０に対向する機能面側電極３３０は、比較的大型であり、ｙ方向を長手方向とする平面視永矩形状である。リード１０２およびリード１０３の対向部１１０と対向する２つの機能面側電極３３０は、平面視略正方形状であり、ｙ方向に並んでいる。リード１０１の対向部１１０に対向する機能面側電極３３０とリード１０２およびリード１０３の対向部１１０に対向する２つの機能面側電極３３０とは、ｘ方向に並んでいる。リード１０４、リード１０５、リード１０６およびリード１０７の対向部１１０に対向する４つの機能面側電極３３０は、比較的小型であり、平面視略正方形状である。リード１０６およびリード１０７の対向部１１０に対向する２つの機能面側電極３３０がｘ方向中央寄りにおいてｘ方向に並んで配置されている。リード１０４およびリード１０５の対向部１１０に対向する２つの機能面側電極３３０は、リード１０６およびリード１０７の対向部１１０を挟んでｘ方向両側に配置されている。
【０１８４】
図２５、図２９および図３０に示すように、機能面側電極３３０は、基材層３３１、下地層３３２、再配線層３３３、機能面側凸部３３４および接合促進層３３５を有している。
【０１８５】
基材層３３１は、機能面３１０に接しており、機能面３１０の前記機能回路の適所に直接導通する部分である。機能面３１０は、たとえばＡｌからなる。基材層３３１の厚さは、たとえば０．１μｍ〜１０μｍである。
【０１８６】
ここで、パッシベーション膜３４０および保護膜３５０について説明する。パッシベーション膜３４０は、半導体素子３００の主体であるＳｉに過度な力が負荷されることを防止するためのものであり、たとえばＳｉＮなどの絶縁材料からなる。パッシベーション膜３４０の厚さは、たとえば２００ｎｍ〜３μｍである。保護膜３５０は、パッシベーション膜３４０上に積層されており、半導体素子３００の主体であるＳｉに過度な力が負荷されることを防止したり、再配線層３３３の形成を容易化するためのものである。保護膜３５０は、たとえばポリイミドなどの絶縁材料からなる。保護膜３５０の厚さは、たとえば５μｍ程度である。
【０１８７】
パッシベーション膜３４０には、貫通孔３４１が形成されている。貫通孔３４１は、機能面側電極３３０の基材層３３１を露出させるために設けられている。本実施形態においては、パッシベーション膜３４０のうち貫通孔３４１の周辺部分が、基材層３３１の端縁を覆っている。保護膜３５０には、貫通孔３５１が形成されている。貫通孔３５１は、平面視において貫通孔３４１と一致しており、機能面側電極３３０の基材層３３１を露出させるために設けられている。
【０１８８】
機能面側電極３３０の説明に戻る。下地層３３２は、再配線層３３３を形成するための下地をなす層である。下地層３３２は、平面視において、機能面側電極３３０の形状に一致する。すなわち、下地層３３２は、基材層３３１のうちパッシベーション膜３４０および保護膜３５０から露出した部分と、パッシベーション膜３４０の貫通孔３４１、保護膜３５０の貫通孔３５１および保護膜３５０の適所を覆っている。下地層３３２は、たとえばＴｉ、ＴｉＷおよびＴａなどからなる。下地層３３２の厚さは、１００ｎｍ程度である。
【０１８９】
再配線層３３３は、機能面側電極３３０の主体をなす層であり、平面視において基材層３３１よりも大である。再配線層３３３の材質は特に限定されないが、本実施形態においては、Ｃｕからなる。再配線層３３３の厚さは、たとえば１０μｍ程度である。
【０１９０】
機能面側凸部３３４は、再配線層３３３上に形成されており、機能面３１０が向く方向に突出している。機能面側凸部３３４の材質は、導電性材料であれば特に限定されないが、本実施形態においては、Ｃｕである。また、機能面側凸部３３４の形状は特に限定されないが、本実施形態においては、円柱形状である。機能面側凸部３３４の大きさは、直径が２５μｍ〜２００μｍ、高さが１０μｍ〜５００μｍである。平面視において、機能面側凸部３３４は、基材層３３１とは重なっておらず、基材層３３１を避けた位置に配置されている。また、機能面側凸部３３４は、平面視においてパッシベーション膜３４０および保護膜３５０と重なっている。
【０１９１】
また、本実施形態においては、図２５に示すように、リード１０１、リード１０２およびリード１０３の対向部１１０に対向する３つの機能面側電極３３０には、複数の機能面側凸部３３４が形成されている。リード１０１の対向部１１０に対向する機能面側凸部３３４には、４行２列の８個の機能面側凸部３３４が形成されている。リード１０２およびリード１０３の対向部１１０に対向する機能面側電極３３０には、２行２列の４個の機能面側凸部３３４が形成されている。リード１０４〜１０７の対向部１１０に対向する機能面側電極３３０には、１つずつの機能面側凸部３３４が形成されている。
【０１９２】
接合促進層３３５は、機能面側電極３３０の最表層を構成しており、本実施形態においては、機能面側凸部３３４および再配線層３３３を覆っている。接合促進層３３５は、機能面側電極３３０とリード１０１〜１０７の対向部１１０との接合を強化するためのものである。接合促進層３３５は、ＮｉおよびＰｄの少なくともいずれかを含んでおり、本実施形態においては、機能面側凸部３３４および再配線層３３３を直接覆うＮｉ層と、このＮｉ層上に積層されたＰｄ層からなる。接合促進層３３５の厚さは、たとえば１００ｎｍ〜１０μｍ程度である。また、接合促進層３３５の材質としては、上記以外にＣｕ、Ａｌ、Ｔｉ、Ａｕなどを適宜採用できる。
【０１９３】
機能面側電極３３０とリード１０１〜１０７の対向部１１０とは、固相接合によって接合されている。より具体的には、機能面側凸部３３４の頂面と対向部１１０の接合面１１３とが固相接合されている。なお、本実施形態においては、機能面側凸部３３４と対向部１１０の接合面１１３との間に接合促進層３３５が介在する構成となっている。なお、機能面側電極３３０に接合促進層３３５を形成することに加えて、あるいはこれに代えて、対向部１１０の接合面１１３に接合促進層を形成してもよい。
【０１９４】
裏面金属層３６０は、裏面３２０に形成されており、本実施形態においては、裏面３２０の全面を覆っている。裏面金属層３６０は、金属からなり、Ｃｕ、Ａｌ、Ｔｉ，Ａｕなどからなる。裏面金属層３６０の厚さは、たとえば０．１μｍ〜１０μｍである。
【０１９５】
接合促進層３６１は、裏面金属層３６０上に積層されている。接合促進層３６１は、ＮｉおよびＰｄの少なくともいずれかを含んでおり、本実施形態においては、裏面３２０を直接覆うＮｉ層と、このＮｉ層上に積層されたＰｄ層からなる。接合促進層３６１の厚さは、たとえば１００ｎｍ〜１０μｍ程度である。また、接合促進層３６１の材質としては、上記以外にＣｕ、Ａｌ、Ｔｉ、Ａｕなどを適宜採用できる。
【０１９６】
裏面金属層３６０と放熱部材２００の接合面２１０とは、固相接合によって接合されている。本実施形態においては、裏面金属層３６０と接合面２１０との間に接合促進層３６１が介在する格好となっている。放熱部材２００の裏面２２０が上述した凹凸状である理由は、裏面金属層３６０と放熱部材２００とを固相接合する際に治具が押し付けられた痕跡である。
【０１９７】
封止樹脂４００は、半導体素子３００の全体と、リード１０１〜１０７のうち端子部１２０を除く部分とを覆っている。封止樹脂４００は、絶縁性材料からなり、本実施形態においては、たとえば黒色のエポキシ樹脂からなる。本実施形態においては、４００は、機能面側凸部３３４を避けた領域において、対向部１１０の接合面１１３と機能面側電極３３０の接合促進層３３５との間にも充填されている。
【０１９８】
本実施形態によれば、放熱部材２００と半導体素子３００の裏面３２０とが固相接合されている。これにより、たとえば接合材を介在させて接合する場合と比べて、放熱部材２００と半導体素子３００の裏面３２０の接合の効率化を図ることができる。また、固相接合することにより、半導体素子３００から放熱部材２００への伝熱効率を高めることが可能であり、半導体素子３００からの放熱を促進することができる。
【０１９９】
機能面側凸部３３４とリード１０１〜１０７の対向部１１０とが固相接合によって接合されている。固相接合は、両者が直接接合される接合形態であり、ワイヤやはんだなど、両者の間に介在する接合媒体を必要としない。また、すべての機能面側凸部３３４とリード１０１〜１０７の対向部１１０との固相接合を一括して実施することができる。これにより、半導体装置Ａ３の製造効率を向上させることが可能である。また、機能面側凸部３３４とリード１０１〜１０７の対向部１１０との接合強度を高めることができる。
【０２００】
機能面側凸部３３４を設けることにより、機能面側電極３３０とリード１０１〜１０７の対向部１１０との接合面積を縮小することが可能である。これにより、固相接合時において所定の接合圧力を得るために加えるべき力の大きさをより小さくすることができる。これにより、半導体素子３００が意図せず損傷することなどを防止することができる。また、機能面側凸部３３４を設けることにより、半導体素子３００の機能面３１０とリード１０１〜１０７の対向部１１０の接合面１１３との間に、封止樹脂４００を確実に充填することが可能である。これにより、半導体装置Ａ３において絶縁されるべき箇所をより確実に絶縁することができる。
【０２０１】
機能面側凸部３３４が基材層３３１と平面視において重ならないことにより、半導体素子３００の主体をなすＳｉに固相接合時の力が過大に負荷されることを回避することができる。また、機能面側凸部３３４を平面視においてパッシベーション膜３４０および保護膜３５０と重ならせることにより、固相接合時の力をパッシベーション膜３４０および保護膜３５０によって吸収することができる。
【０２０２】
接合促進層３３５を設けることにより、機能面側凸部３３４と対向部１１０との固相接合をより確実に行うことができる。
【０２０３】
図３１は、半導体装置Ａ３の変形例を示している。本変形例においては、上述した機能面側凸部３３４に代えて、半導体装置Ａ２で説明した導通支持部材側凸部１１１が対向部１１０に形成されている。このような変形例によっても、放熱部材２００と半導体素子３００の裏面３２０の接合の効率化を図ることができる。また、半導体素子３００からの放熱を促進することができる。また、半導体装置Ａ３は、機能面側凸部３３４と導通支持部材側凸部１１１とを併せ持つ構成であってもよい。
【０２０４】
本発明に係る半導体装置は、上述した実施形態に限定されるものではない。本発明に係る半導体装置の各部の具体的な構成は、種々に設計変更自在である。
【０２０５】
本発明の構成およびそのバリエーションを以下に付記として列挙する。
【０２０６】
〔付記１Ａ〕
機能回路が形成された機能面および該機能面とは反対側を向く裏面を有する半導体素子と、
前記半導体素子を支持し、且つ前記半導体素子に導通する導通支持部材と、
前記半導体素子と前記導通支持部材の少なくとも一部とを覆う樹脂パッケージと、
を備える半導体装置であって、
前記半導体素子は、前記機能面に形成された機能面側電極を有しており、
前記導通支持部材は、前記機能面側電極に向かって突出する導通支持部材側凸部を有しており、
前記機能面側電極と前記導通支持部材の前記導通支持部材側凸部とは、固相接合によって接合されていることを特徴とする、半導体装置。
〔付記２Ａ〕
前記機能面側電極は、前記機能面に接する基材層を有する、付記１Ａに記載の半導体装置。
〔付記３Ａ〕
前記基材層は、Ａｌからなる、付記２Ａに記載の半導体装置。
〔付記４Ａ〕
前記導通支持部材側凸部と前記基材層とは、平面視において互いに重ならない、付記２Ａまたは３Ａに記載の半導体装置。
〔付記５Ａ〕
前記機能面側電極は、前記基材層上に積層された下地層を有する、付記２Ａないし４Ａのいずれかに記載の半導体装置。
〔付記６Ａ〕
前記下地層は、Ｔｉ、ＷおよびＴａのいずれかからなる、付記５Ａに記載の半導体装置。
〔付記７Ａ〕
前記機能面側電極は、前記下地層上に積層された再配線層を有する、付記５Ａまたは６Ａに記載の半導体装置。
〔付記８Ａ〕
前記再配線層は、Ｃｕからなる、付記７Ａに記載の半導体装置。
〔付記９Ａ〕
前記再配線層は、平面視において前記基材層よりも大である、付記７Ａまたは８Ａに記載の半導体装置。
〔付記１０Ａ〕
前記機能面側電極は、最表層に位置する接合促進層を有する、付記７Ａないし９Ａのいずれかに記載の半導体装置。
〔付記１１Ａ〕
前記機能面側電極の前記接合促進層は、ＮｉおよびＰｄの少なくともいずれかを含む、付記１０Ａに記載の半導体装置。
〔付記１２Ａ〕
前記機能面側電極の前記接合促進層は、前記機能面側に位置するＮｉ層と、このＮｉ層上に積層されたＰｄ層を有する、付記１１Ａに記載の半導体装置。
〔付記１３Ａ〕
前記機能面を覆い、かつ前記機能面側電極を前記機能面に到達させる貫通孔が形成されたパッシベーション膜を備える、付記７Ａないし１２Ａのいずれかに記載の半導体装置。
〔付記１４Ａ〕
前記パッシベーション膜は、ＳｉＮからなる、付記１３Ａに記載の半導体装置。
〔付記１５Ａ〕
前記再配線層は、平面視において前記パッシベーション膜と重なる、付記１３Ａまたは１４Ａに記載の半導体装置。
〔付記１６Ａ〕
前記導通支持部材側凸部は、平面視において前記パッシベーション膜と重なる、付記１３Ａないし１５Ａのいずれかに記載の半導体装置。
〔付記１７Ａ〕
前記パッシベーション膜上に積層された保護膜を備える、付記１３Ａないし１６Ａのいずれかに記載の半導体装置。
〔付記１８Ａ〕
前記保護膜は、ポリイミドからなる、付記１７Ａに記載の半導体装置。
〔付記１９Ａ〕
前記再配線層は、平面視において前記保護膜と重なる、付記１７Ａまたは１８Ａに記載の半導体装置。
〔付記２０Ａ〕
前記導通支持部材側凸部は、平面視において前記保護膜と重なる、付記１７Ａないし１９Ａのいずれかに記載の半導体装置。
〔付記２１Ａ〕
前記導通支持部材は、金属からなるリードである、付記１Ａないし２０Ａのいずれかに記載の半導体装置。
〔付記２２Ａ〕
前記リードの一部が、前記樹脂パッケージから突出している、付記２１Ａに記載の半導体装置。
〔付記２３Ａ〕
前記リードのうち前記機能面側電極に接合された部位と反対側の面は、凹凸状とされている、付記２１Ａまたは２２Ａに記載の半導体装置。
〔付記２４Ａ〕
前記導通支持部材側凸部は、周囲部分よりも厚さが厚い部分によって構成されている、付記２１Ａないし２３Ａのいずれかに記載の半導体装置。
〔付記２５Ａ〕
前記導通支持部材側凸部は、貫通孔を有する、付記２４Ａに記載の半導体装置。
〔付記２６Ａ〕
前記導通支持部材側凸部は、前記導通支持部材の一部が折り曲げられて形成されている、付記２１Ａないし２３Ａのいずれかに記載の半導体装置。
〔付記２７Ａ〕
前記半導体素子は、複数の前記機能面側電極を有する、付記１Ａないし２６Ａのいずれかに記載の半導体装置。
〔付記２８Ａ〕
前記機能面側電極は、複数の前記導通支持部材側凸部に接合されている、付記１Ａないし２７Ａのいずれかに記載の半導体装置。
〔付記２９Ａ〕
前記半導体素子に接合された放熱部材をさらに備えており、
前記半導体素子は、前記裏面に形成された裏面金属層を有しており、
前記半導体素子の前記裏面金属層と前記放熱部材とは、固相接合によって接合されている、付記１Ａないし２８Ａのいずれかに記載の半導体装置。
〔付記３０Ａ〕
前記裏面金属層には、接合促進層が積層されている、付記２９Ａに記載の半導体装置。
〔付記３１Ａ〕
前記裏面金属層の前記接合促進層は、ＮｉおよびＰｄの少なくともいずれかを含む、付記３０Ａに記載の半導体装置。
〔付記３２Ａ〕
前記放熱部材には、接合促進層が積層されている、付記２９Ａに記載の半導体装置。
〔付記３３Ａ〕
前記放熱部材の前記接合促進層は、ＮｉおよびＰｄの少なくともいずれかを含む、付記３２Ａに記載の半導体装置。
〔付記３４Ａ〕
前記放熱部材のうち前記裏面金属層に接合された部位と反対側の面は、凹凸状とされている、付記２９Ａないし３３Ａのいずれかに記載の半導体装置。
〔付記３５Ａ〕
前記放熱部材のうち前記裏面金属層に接合された部位と反対側の面は、前記樹脂パッケージから露出している、付記２９Ａないし３４Ａのいずれかに記載の半導体装置。
【０２０７】
〔付記１Ｂ〕
機能回路が形成された機能面および該機能面とは反対側を向く裏面を有する半導体素子と、
前記半導体素子を支持し、且つ前記半導体素子に導通する導通支持部材と、
前記半導体素子に接合された放熱部材と、
前記半導体素子と前記導通支持部材および前記放熱部材の少なくとも一部ずつとを覆う樹脂パッケージと、
を備える半導体装置であって、
前記半導体素子は、前記裏面に形成された裏面金属層を有しており、
前記半導体素子の前記裏面金属層と前記放熱部材とは、固相接合によって接合されていることを特徴とする、半導体装置。
〔付記２Ｂ〕
前記裏面金属層には、接合促進層が積層されている、付記１Ｂに記載の半導体装置。
〔付記３Ｂ〕
前記裏面金属層の前記接合促進層は、ＮｉおよびＰｄの少なくともいずれかを含む、付記２Ｂに記載の半導体装置。
〔付記４Ｂ〕
前記放熱部材には、接合促進層が積層されている、付記１Ｂないし３Ｂのいずれかに記載の半導体装置。
〔付記５Ｂ〕
前記放熱部材の前記接合促進層は、ＮｉおよびＰｄの少なくともいずれかを含む、付記４Ｂに記載の半導体装置。
〔付記６Ｂ〕
前記放熱部材のうち前記裏面金属層に接合された部位と反対側の面は、凹凸状とされている、付記１Ｂないし５Ｂのいずれかに記載の半導体装置。
〔付記７Ｂ〕
前記半導体素子は、前記機能面に形成された機能面側電極を有している、付記１Ｂないし６Ｂのいずれかに記載の半導体装置。
〔付記８Ｂ〕
前記機能面側電極は、前記機能面が向く方向に突出する機能面側凸部を具備しており、
前記機能面側電極の前記機能面側凸部と前記導通支持部材とは、固相接合によって接合されている、付記７Ｂに記載の半導体装置。
〔付記９Ｂ〕
前記導通支持部材は、前記機能面側電極に向かって突出する導通支持部材側凸部を有しており、
前記機能面側電極と前記導通支持部材の前記導通支持部材側凸部とは、固相接合によって接合されている、付記７Ｂに記載の半導体装置。
〔付記１０Ｂ〕
前記機能面側電極は、前記機能面に接する基材層を有する、付記７Ｂないし９Ｂのいずれかに記載の半導体装置。
〔付記１１Ｂ〕
前記基材層は、Ａｌからなる、付記１０Ｂに記載の半導体装置。
〔付記１２Ｂ〕
前記機能面側電極は、前記基材層上に積層された下地層を有する、付記１０Ｂまたは１１Ｂに記載の半導体装置。
〔付記１３Ｂ〕
前記下地層は、Ｔｉ、ＷおよびＴａのいずれかからなる、付記１２Ｂに記載の半導体装置。
〔付記１４Ｂ〕
前記機能面側電極は、前記下地層上に積層された再配線層を有する、付記１２Ｂまたは１３Ｂに記載の半導体装置。
〔付記１５Ｂ〕
前記再配線層は、Ｃｕからなる、付記１４Ｂに記載の半導体装置。
〔付記１６Ｂ〕
前記再配線層は、平面視において前記基材層よりも大である、付記１４Ｂまたは１５Ｂに記載の半導体装置。
〔付記１７Ｂ〕
前記機能面側電極は、最表層に位置する接合促進層を有する、付記１４Ｂないし１６Ｂのいずれかに記載の半導体装置。
〔付記１８Ｂ〕
前記機能面側電極の前記接合促進層は、ＮｉおよびＰｄの少なくともいずれかを含む、付記１７Ｂに記載の半導体装置。
〔付記１９Ｂ〕
前記機能面を覆い、かつ前記機能面側電極を前記機能面に到達させる貫通孔が形成されたパッシベーション膜を備える、付記１４Ｂないし１８Ｂのいずれかに記載の半導体装置。
〔付記２０Ｂ〕
前記パッシベーション膜は、ＳｉＮからなる、付記１９Ｂに記載の半導体装置。
〔付記２１Ｂ〕
前記再配線層は、平面視において前記パッシベーション膜と重なる、付記１９Ｂまたは２０Ｂに記載の半導体装置。
〔付記２２Ｂ〕
前記パッシベーション膜上に積層された保護膜を備える、付記１９Ｂないし２１Ｂのいずれかに記載の半導体装置。
〔付記２３Ｂ〕
前記保護膜は、ポリイミドからなる、付記２２Ｂに記載の半導体装置。
〔付記２４Ｂ〕
前記再配線層は、平面視において前記保護膜と重なる、付記２２Ｂまたは２３Ｂに記載の半導体装置。
〔付記２５Ｂ〕
前記導通支持部材は、金属からなるリードである、付記１Ｂないし２４Ｂのいずれかに記載の半導体装置。
〔付記２６Ｂ〕
前記リードの一部が、前記樹脂パッケージから突出している、付記２５Ｂに記載の半導体装置。
〔付記２７Ｂ〕
前記リードのうち前記機能面側電極に接合された部位と反対側の面は、凹凸状とされている、付記２５Ｂまたは２６Ｂに記載の半導体装置。
【符号の説明】
【０２０８】
Ａ１〜Ａ３      半導体装置
１０１〜１０７      リード
１１０      対向部
１１１      導通支持部材側凸部
１１２      貫通孔
１１４      裏面
１１３      接合面
１２０      端子部
２００      放熱部材
２１０      接合面
２２０      裏面
３００      半導体素子
３１０      機能面
３２０      裏面
３３０      機能面側電極
３３１      基材層
３３２      下地層
３３３      再配線層
３３４      機能面側凸部
３３５      接合促進層
３４０      パッシベーション膜
３４１      貫通孔
３５０      保護膜
３５１      貫通孔
３６０      裏面金属層
３６１      接合促進層
４００      封止樹脂
８０１      テーブル
８０２      治具
【図１】
2020129700.tif 000003
【図２】
2020129700.tif 000004
【図３】
2020129700.tif 000005
【図４】
2020129700.tif 000006
【図５】
2020129700.tif 000007
【図６】
2020129700.tif 000008
【図７】
2020129700.tif 000009
【図８】
2020129700.tif 000010
【図９】
2020129700.tif 000011
【図１０】
2020129700.tif 000012
【図１１】
2020129700.tif 000013
【図１２】
2020129700.tif 000014
【図１３】
2020129700.tif 000015
【図１４】
2020129700.tif 000016
【図１５】
2020129700.tif 000017
【図１６】
2020129700.tif 000018
【図１７】
2020129700.tif 000019
【図１８】
2020129700.tif 000020
【図１９】
2020129700.tif 000021
【図２０】
2020129700.tif 000022
【図２１】
2020129700.tif 000023
【図２２】
2020129700.tif 000024
【図２３】
2020129700.tif 000025
【図２４】
2020129700.tif 000026
【図２５】
2020129700.tif 000027
【図２６】
2020129700.tif 000028
【図２７】
2020129700.tif 000029
【図２８】
2020129700.tif 000030
【図２９】
2020129700.tif 000031
【図３０】
2020129700.tif 000032
【図３１】
2020129700.tif 000033